(57)【特許請求の範囲】
【請求項１】
レンチキュラーレンズを有する記録媒体であって、
記録装置への挿入方向にある縁部の少なくとも一方の面が、先端部に向かうにつれて他方の面との間の厚さが薄くなるテーパ面となっており、
前記記録装置は、複数の搬送用ローラを備え、
前記テーパ面の傾斜角度は、前記搬送用ローラと前記記録媒体との接触部の摩擦、前記搬送用ローラの配置されている間隔、前記テーパ面を形成する前の前記記録媒体の厚さ、の少なくとも１つに基づいて設定され、
前記テーパ面は前記レンチキュラーレンズに施されていることを特徴とする記録媒体。
【請求項２】
前記一方の面は、前記レンチキュラーレンズの凸面の側であることを特徴とする請求項１に記載の記録媒体。
【請求項３】
前記テーパ面は、記録装置への挿入方向の前後の縁部に備えられていることを特徴とする請求項１または２に記載の記録媒体。
【発明の詳細な説明】
【技術分野】
【０００１】
本発明は、レンチキュラーレンズを有する記録媒体に関する。
【背景技術】
【０００２】
記録層に重ねてレンチキュラーレンズを有し、記録層に記録された画像をレンチキュラ
ーレンズを介して、立体画像あるいは見る角度によって見える画像の形態等が変わる変り
絵画像として見ることができる記録媒体が従来から知られている。かかる記録媒体は、特
許文献１等に記載されるように、透明な樹脂シートをレンチキュラーレンズの形状が形成
された型に沿わせた状態で樹脂シートと該型の間に紫外線硬化樹脂等の硬化樹脂を充填し
、この硬化樹脂を硬化させることで樹脂シートにレンチキュラーレンズを形成し、さらに
、樹脂シートのレンチキュラーレンズが形成されている側とは反対側に記録層を設けるこ
とで作成される。このような記録媒体は、コピー用紙等の記録紙に比べてレンチキュラー
レンズとこのレンチキュラーレンズが形成される樹脂シートが設けられる分、厚さが厚い
ものとなっている。
【０００３】
例えば、コピー用紙の厚さは０．１ｍｍ前後であり、また、写真用紙の厚さは０．３ｍ
ｍであるのに対し、レンチキュラーレンズを有する記録媒体においては、レンチキュラー
レンズが１インチに６０本形成される６０ＬＰＩ（Ｌｅｎｓ  Ｐｅｒ  Ｉｎｃｈ）のもの
では、薄いものでも０．５ｍｍ前後、厚いものでは１．２ｍｍ程度の厚さとなっている。
【０００４】
ところで、記録装置における記録媒体搬送機構は、搬送用駆動ローラとこの搬送用駆動
ローラと対に設けられる従動ローラとの間に記録媒体を挟み、従動ローラにより記録媒体
を搬送用駆動ローラに対し押圧し、搬送用駆動ローラの搬送力が記録媒体に効率的に伝達
されるようにすることで記録媒体の確実な搬送が達成されている。
【０００５】
【特許文献１】特開２００１−１２１６０４号
【特許文献２】特開２００２−６７０５８号
【特許文献３】特開２００２−９０９１９号
【特許文献４】特開２００２−３３３６７３号
【特許文献５】特開平１１−１９２６９６号
【特許文献６】特許第３４７１９３０号
【発明の開示】
【発明が解決しようとする課題】
【０００６】
しかしながら、上述のレンチキュラーレンズを有する記録媒体においては、その厚さが
厚いため、搬送用駆動ローラと従動ローラとの間に記録媒体が入り込むことができず、記
録媒体の搬送が確実に行えないという問題がある。
【０００７】
そこで、本発明は、搬送用駆動ローラと従動ローラとの間に容易に入り込むことができ
、搬送の確実性を向上させたレンチキュラーレンズを有する記録媒体を提供することを目
的とする。
【課題を解決するための手段】
【０００８】
上記課題を解決するために、本発明は、レンチキュラーレンズを有する記録媒体であっ
て、記録装置への挿入方向にある縁部の少なくとも一方の面が、先端部に向かうにつれて
他方の面との間の厚さが薄くなるテーパ面となっていることを特徴とする記録媒体。
【０００９】
記録媒体をこのように構成することで、記録媒体を搬送用駆動ローラと従動ローラとの
間に容易に入り込ませることができ、安定した搬送が行われる。
【００１０】
また、他の発明は、上述の発明に加えて、一方の面は、レンチキュラーレンズの凸面の
側であることとする。記録媒体をこのように構成することで、記録領域を大きくとること
ができる。
【００１１】
上記課題を解決するために、本発明は、レンチキュラーレンズを有する記録媒体であっ
て、記録装置への挿入方向に前記記録媒体の全幅よりも狭い幅の片部を有することとする
。
【００１２】
記録媒体をこのように構成することで、記録媒体を搬送用駆動ローラと従動ローラとの
間に容易に入り込ませることができ、安定した搬送が行われる。
【００１３】
また、他の発明は、上述の発明に加えて、片部は、先端に向かうほど幅が狭くなる尖状
形であることとする。記録媒体をこのように構成することで、記録媒体を搬送用駆動ロー
ラと従動ローラとの間により確実に入り込ませることができ、安定した搬送が行われる。
【００１４】
また、他の発明は、上述の発明に加えて、テーパ面または片部は、記録装置への挿入方
向の前後の縁部に備えられていることとする。このように記録媒体を構成することで、記
録媒体を前後いずれの向きからでも記録装置に装填することができる。
【発明を実施するための最良の形態】
【００１５】
（第１の実施の形態）
以下に、本発明の第１の実施の形態に係るレンズシート１について、図１から図４を参
照しながら説明する。
【００１６】
図１は、記録媒体としてのレンズシート１およびこのレンズシート１が記録装置２に装
填されている状態を示している図である。図２は、記録装置２の搬送機構３によりレンズ
シート１が搬送される部分の構成を模式的に示す図であり、図１に示す部分Ａの概略構成
を示す拡大図である。図３は、レンズシート１の構成を示す斜視図であり、図４は、図３
に示す部分Ｂの拡大図である。
【００１７】
先ず、記録装置２の構成について簡単に説明する。図１は記録装置２を後方から見た斜
視図である。なお、図１において、レンズシート１が進行する方向である矢印Ｘの方向を
前方（前側）とし、この反対方向を後方（後側）とする。また、後方から前方に向かって
右手方向となる矢印Ｙの方向を右方（右側）とし、この反対方向である左手方向を左方（
左側）とする。そして、矢印Ｚの方向を上方（上側）とし、この反対方向を下方（下側）
として、以下の説明を行うこととする。
【００１８】
記録装置２は、外装体である筐体４と、レンズシート１を下側から支持する支持手段と
してのシートガイド５と、シートガイド５上に載置されたレンズシート１を後方から前方
に向けて搬送する搬送用駆動ローラ６と、この搬送用駆動ローラ６の回転を受けて回転す
る従動ローラ７と、レンズシート１に対して記録を行う記録ヘッド８等を有する。なお、
搬送用駆動ローラ６と従動ローラ７等により搬送機構３は構成され、また、本実施の形態
では従動ローラ７は左右方向に等間隔で５つ備えられている。
【００１９】
レンズシート１は、図３に示すように、透明な樹脂シート９の一方の面にレンチキュラ
ーレンズ１０が形成され、他方の面に画像形成層１１が形成されている。このレンズシー
ト１は、画像形成層１１に記録された画像をレンチキュラーレンズ１０を介して視認する
ことができるように構成されている。したがって、例えば、画像形成層１１に、レンチキ
ュラーレンズ１０の配設ピッチや焦点距離等に対応させて視差のある画像を記録し、この
画像をレンチキュラーレンズ１０の側から視認すると、立体感のある画像として、あるい
は見る角度によって異なる画像として視認することができるというものである。なお、レ
ンズシート１は画像形成層１１を形成することなく、レンチキュラーレンズ１０が形成さ
れる側と反対の面の樹脂部に直接記録を行う構成のものとしてもよい。
【００２０】
筐体４の後側の側面には、レンズシート１を筐体４内に供給するための給紙開口部１２
が形成され、また、前側の側面には、給紙開口部１２の側から供給されたレンズシート１
を排出する排紙開口部１３が形成されている。給紙開口部１２から記録装置２に供給され
たレンズシート１は、搬送用駆動ローラ６と従動ローラ７との間を通され、ローラ駆動モ
ータ１４により回転される搬送用駆動ローラ６により前方に向かって搬送される。
【００２１】
従動ローラ７は、不図示の付勢手段により上方から下方に向かって付勢された状態で上
方に変位可能に設けられている。そして、この従動ローラ７は、搬送用駆動ローラ６の上
を通過するレンズシート１を搬送用駆動ローラ６の側に押圧するように付勢し、レンズシ
ート１が搬送用駆動ローラ６から離れないようにしている。このため、レンズシート１は
搬送用駆動ローラ６からの回転力を確実に受けることができ、確実に搬送されるようにな
っている。そうして、搬送用駆動ローラ６により前方に向けて搬送されるレンズシート１
は、記録ヘッド８により記録が行われた後、排紙開口部１３から記録装置２の外部に排出
される。
【００２２】
シートガイド５は、前後方向が、給紙開口部１２の後方に突出した位置から搬送用駆動
ローラ６の手前の位置に亘って備えられている。また、左右の幅方向については、載置さ
れるレンズシート１の全幅に亘って支持できる幅となっている。シートガイド５は、筐体
４、または内部のフレーム等の構造体に対して図示を省略する構成により取り付けられて
いる。
【００２３】
シートガイド５の上面には、レンズシート１のレンチキュラーレンズ１０と噛み合い、
レンズシート１の搬送を後方から前方へ向けてガイドするガイド溝１５が形成されている
。このガイド溝１５は、レンチキュラーレンズ１０と同一形状に形成されている。すなわ
ち、レンチキュラーレンズ１０を形成する各レンズ要素１６（例えば、シリンドリカルレ
ンズ）と同一形状の線条の凸条１７がレンチキュラーレンズ１０の配設ピッチと同一ピッ
チでレンズシート１の幅よりも広い幅に亘って並設されている。凸条１７の長手方向、す
なわち凸条１７の母線（稜線）方向は、レンズシート１の搬送方向である前後方向に沿っ
て形成されている。
【００２４】
シートガイド５にこのようなガイド溝１５を設けることで、シートガイド５上に載置さ
れたレンズシート１のレンチキュラーレンズ１０はガイド溝１５に噛み合い、左右方向（
主走査方向）の位置決めがされた状態となる。また、ガイド溝１５は、レンズシート１の
搬送方向である前後方向に沿うように形成されている。そのため、レンズシート１は搬送
される際に、ガイド溝１５により左右方向への位置ずれが防止され前後方向にガイドされ
た状態で搬送される。つまり、レンズシート１は、搬送方向が一定に維持された状態で搬
送され、記録ヘッド８によるレンズシート１への記録を所定の位置に行うことができる。
【００２５】
記録ヘッド８は、キャリッジ１８の下面に取り付けられ、本実施の形態では、インクを
吐出するインクジェット型の記録ヘッドとして構成されている。キャリッジ１８は、左右
方向に延設されるキャリッジガイド１９に移動可能に支持され、また、キャリッジ用モー
タ２０により駆動されるタイミングベルト２１に取り付けられている。このため、キャリ
ッジ用モータ２０によりタイミングベルト２１を左右方向に回転駆動すると、キャリッジ
１８と共に記録ヘッド８をキャリッジガイド１９に沿って左右方向に移動することができ
る。
【００２６】
したがって、搬送用駆動ローラ６によるレンズシート１の搬送方向である副走査方向へ
の搬送を制御すると共に、記録ヘッド８の移動方向である主走査方向、すなわち左右方向
への移動についても制御することで、記録ヘッド８をレンズシート１の所定位置に移動す
ることができ、レンズシート１の所望の位置に画像を記録することができる。なお、レン
ズシート１は、画像形成層１１の側を記録ヘッド８に対向され、レンチキュラーレンズ１
０の側がガイド溝１５に接触するようにシートガイド５に載置する。つまり、記録ヘッド
８は画像形成層１１に対して記録を行い、レンチキュラーレンズ１０の側から画像形成層
１１に記録された画像を視認することができる記録物が製作されることになる。
【００２７】
ここで、レンズシート１の構成について、図３および図４を参照しながらさらに詳しく
説明する。図３は、レンズシート１を下方、すなわちシートガイド５に載置される側から
見た斜視図となっている。図４は、図３に示す部分Ｂの拡大図である。
【００２８】
レンズシート１の長手方向の一方の縁部２２はテーパ部２３となっている。テーパ部２
３は、レンチキュラーレンズ１０の側が縁部２２の先端に向かうにつれてレンズシート１
の厚さが薄くなるテーパ面（傾斜面）２４が形成される部分である。テーパ部２３は、先
端側ほどレンズシート１の厚さが薄くなり、先端部２５において一番薄い厚さとなってい
る。
【００２９】
このように縁部２２を先端側ほど厚さが薄くなるテーパ部２３とすることで、このテー
パ部２３が設けられる側を前方に向けてレンチキュラーレンズ１０を搬送用駆動ローラ６
と従動ローラ７との間に挿入したときに、レンズシート１は、テーパ部２３の部分におい
て搬送用駆動ローラ６と従動ローラ７との間に入り込み易くなる。つまり、テーパ部２３
を設けることでレンズシート１が搬送用駆動ローラ６と従動ローラ７との間に引き込まれ
易くなる取っ掛かりができる。そして、レンズシート１のテーパ部２３が搬送用駆動ロー
ラ６と従動ローラ７との間に入り、レンズシート１の搬送が始まると、従動ローラ７はレ
ンズシート１の厚みに応じて付勢手段（不図示）の付勢力に抗して上方に変位する。従動
ローラ７が上方に変位することで搬送用駆動ローラ６と従動ローラ７との間にレンズシー
ト１が挟み込まれた状態となる。このようにレンズシート１は搬送用駆動ローラ６と従動
ローラ６とその間に挟み込まれ、従動ローラ７により搬送用駆動ローラ６への押圧力を受
けた状態で、搬送用駆動ローラ６の回転により搬送が行われる。
【００３０】
レンズシート１の先端側の縁部２２をテーパ部２３に構成することで、レンズシート１
が搬送用駆動ローラ６と従動ローラ７との間に引き込まれる取っ掛かりができる作用（メ
カニズム）は、図２を参照して説明する次の要因によるものと推測できる。
【００３１】
厚さの厚いレンズシート１を搬送するために、従動ローラ７は、従動ローラ７の下部７
Ａとレンズシート１の上面との高さの差分Ｈだけ、上方に変位する必要がある。そのため
、レンズシート１の縁部２２を点線部分２２’で示すように通常の厚さとした場合には、
点線部分２２’の縁部２２が従動ローラ７に当接したときに直ちに上方に差分Ｈだけ変位
する必要がある。しかしながら、従動ローラ７がこのように直ちにレンズシート１の厚さ
に対応して変位できない場合には、レンズシート１の縁部２２が従動ローラ７によりはじ
かれてしまう。したがって、レンズシート１は、搬送用駆動ローラ６と従動ローラ７との
間に引き込まれることができない。
【００３２】
これに対し、レンズシート１の縁部２２にテーパ部２３を形成することで、レンズシー
ト１はテーパ部２３の部分で厚さが薄くなっている。そのため、従動ローラ７に縁部２２
が当接した際に、テーパ部２３は従動ローラ７の周面に沿って下方に撓むことができる。
このため、従動ローラ７は上方に差分Ｈだけ変位しなくてもレンズシート１の上面に載る
ことができる。従動ローラ７がレンズシート１の上面に載り、撓んだテーパ面２４が従動
ローラ７の下方への付勢力を受けて搬送用駆動ローラ６に接触することで、レンズシート
１に搬送用駆動ローラ６の回転が確実に伝わる。これにより、レンズシート１が搬送用駆
動ローラ６と従動ローラ７との間に引き込まれる取っ掛かりとなる。
【００３３】
なお、上述したレンズシート１が搬送用駆動ローラ６と従動ローラ７との間に引き込ま
れる取っ掛かりができるメカニズムは、レンズシート１の厚さや搬送用駆動ローラ６や従
動ローラ７の直径、あるいはこれらのローラの表面の摩擦力、さらには、搬送用駆動ロー
ラ６と従動ローラ７の相対位置等に起因する種々の事項が起因すると考えられる。レンズ
シート１が搬送用駆動ローラ６と従動ローラ７との間に引き込まれる取っ掛かりができる
メカニズムについては上述のように種々考えられるが、先端部２５にテーパ面２４を設け
ることで、レンズシート１を搬送用駆動ローラ６と従動ローラ７との間に引き込み易くな
る。
【００３４】
ところで、テーパ部２３は、後述するように、画像形成層１１が設けられる側にテーパ
面２４が配設されるように形成してもよい。しかしながら、テーパ面２４をレンチキュラ
ーレンズ１０の側に形成することで、画像形成層１１をレンズシート１の大きさ一杯に形
成することができ、記録領域を広く確保することができる。
【００３５】
なお、テーパ面２４の傾斜角度は、搬送用駆動ローラ６や従動ローラ７とレンズシート
１との接触部の摩擦や、搬送用駆動ローラ６と従動ローラ７との間の間隔、あるいはレン
ズシート１の厚さ等を考慮して適宜に設定する。
【００３６】
（変形例１）
次に、レンズシート１の変形例であるレンズシート３０の構成について図５を参照しな
がら説明する。図５は、図２と同様に、搬送機構３によりレンズシート３０が搬送される
部分の構成を示す図である。レンズシート３０のレンズシート１と同様の構成部分につい
ては同一の符号を付しその説明を省略することとする。
【００３７】
上述の実施の形態では、テーパ面２４はレンズシート１のレンチキュラーレンズ１０が
設けられる側に形成されている。これに対し、レンズシート３０は、図５に示すように、
画像形成層１１が設けられる側にテーパ面３１が配設されるようにテーパ部３２を形成し
ている。このようにテーパ部３２を構成することで、レンズシート３０を搬送用駆動ロー
ラ６と従動ローラ７との間に先端部３３が入り込み易くなる。そして、搬送用駆動ローラ
６と従動ローラ７との間に入り込んだテーパ面３１の上に従動ローラ７が当接する。従動
ローラ７がテーパ面３１に当接することでテーパ部３２は、従動ローラ７の押圧力を受け
て搬送用駆動ローラ６の側に押圧される。このため、搬送用駆動ローラ６の回転力がレン
ズシート３０に確実に伝わる。これにより、レンズシート３０が搬送用駆動ローラ６と従
動ローラ７との間に引き込まれる取っ掛かりとなると推測できる。
【００３８】
なお、上述のレンズシート１およびレンズシート３０は片面に、テーパ面２４あるいは
テーパ面３１を形成しているが、このようなテーパ面をレンズシートの両面に設けるよう
にしてもよい。
【００３９】
（第２の実施の形態）
次に、本発明の第２の実施の形態に係るレンズシート４０の構成について図６を参照し
ながら説明する。レンズシート１と同様の構成部分については同一の符号を付しその説明
を省略することとする。
【００４０】
図６は、レンズシート４０と従動ローラ７との位置関係を模式的に示す図であり、レン
ズシート４０を下面側（レンチキュラーレンズ１０側の面）から見た底面図である。図６
に示すように、レンズシート４０の長手方向の一方の縁部４１には、切込み部４２が数箇
所（本実施の形態では４箇所）形成され、隣り合う切込み部４２同士の間は舌状の片部４
３として構成されている。各片部４３の縁部４４の幅４３Ｗはレンズシート４０の全幅４
０Ｗよりも狭い幅となっている。
【００４１】
このようにレンズシート４０に片部４３を設けることで、この片部４３が、レンズシー
ト１が搬送用駆動ローラ６と従動ローラ７との間に引き込まれる取っ掛かりとなり、レン
ズシート４０を搬送用駆動ローラ６と従動ローラ７との間に挟み込んで搬送させ易くなる
。
【００４２】
片部４３が、レンズシート１が搬送用駆動ローラ６と従動ローラ７との間に引き込まれ
る取っ掛かりとなるのは次の作用によるものと推測できる。片部４３の幅４３Ｗはレンズ
シート４０の幅４０Ｗよりも狭い幅である。そのため、従動ローラ７の押圧力をレンズシ
ート４０の全副である幅４０Ｗで受けるよりも、狭い幅の片部４３で従動ローラ７の押圧
力を受けることで、片部４３には、従動ローラ７から大きな押圧力が作用することになる
。したがって、片部４３が搬送用駆動ローラ６に大きな押圧力で接触し、搬送用駆動ロー
ラ６の回転が確実にレンズシート４０に伝わることが要因と推測できる。
【００４３】
（変形例２）
なお、本実施の形態では、切込み部４２は谷型の切込みとなっているが図７に示すよう
に、直線状の切込み線５０を設けることで、片部５１を形成するようにしてもよい。
【００４４】
（変形例３）
また、片部４３は複数に限らず図８に示すように一箇所としてもよい。
【００４５】
（第３の実施の形態）
次に、本発明の第３の実施の形態に係るレンズシート６０の構成について図９を参照し
ながら説明する。上述の実施の形態に係るレンズシート１、３０、４０と同様の構成部分
については同一の符号を付しその説明を省略することとする。
【００４６】
図９は、レンズシート６０と従動ローラ７との位置関係を模式的に示す図であり、レン
チキュラーレンズ６０の下面（レンチキュラーレンズ１０側の面）から見た底面図である
。図９に示すように、レンズシート６０は、上述の第２の実施の形態の片部４３に換えて
先端方向に向うほど左右方向の幅が狭くなる尖状形の片部６１が設けられている。このよ
うに尖状形の片部６１をレンズシート６０の前端部６２に設けることで、レンズシート６
０が搬送用駆動ローラ６と従動ローラ７との間に引き込まれる取っ掛かりをより確実なも
のとすることができる。
【００４７】
片部６１が、レンズシート６０が搬送用駆動ローラ６と従動ローラ７との間に引き込ま
れる取っ掛かりとしてより確実に機能するのは次の作用によるものと推測できる。上述の
第２の実施の形態およびその変形例に示す片部４３の縁部４４は、レンズシート４０の搬
送方向に対して左右方向に直交する方向に設けられている。つまり、レンズシート４０を
搬送用駆動ローラ６と従動ローラ７との間に搬送方向に向けてセットしたときに、縁部４
４は、従動ローラ７の円周面に線で接することとなる。
【００４８】
これに対し、レンズシート６０は、図９に示すように片部６１を先端方向に向かうほど
左右方向の幅が狭くなる尖状形としている。このように、片部６１を尖状形とした場合に
は、片部６１の先端部６３は従動ローラ７の円周面に対し点で接することになる。そのた
め、片部６１の先端部６３には、片部４３の縁部４４が従動ローラ７に線で接する場合よ
りもさらに大きな押圧力が従動ローラ７から作用することになる。したがって、片部６１
が搬送用駆動ローラ６に大きな押圧力で接触し、搬送用駆動ローラ６の回転が確実にレン
ズシート６０に伝わり、レンズシート６０が搬送用駆動ローラ６と従動ローラ７との間に
引き込まれる取っ掛かりがより確実なものなると推測できる。
【００４９】
なお、従動ローラ７の左右方向の配設が図中点線で示す従動ローラ７’のような配設で
ある場合には、片部６１の先端部６３が従動ローラ７’と従動ローラ７’との間に位置に
、先端部６３が従動ローラ７’から押圧されない場合もある。このような場合であっても
先端部６３の両側の縁部６４は従動ローラ７’の端部７’Ｂに斜めに交差し、縁部６４は
端部７’Ｂに対し点で接することになる。そのため、上述したように、片部６１には従動
ローラ７’から大きな押圧力が作用し、片部６１が搬送用駆動ローラ６に大きな押圧力で
接触するため、搬送用駆動ローラ６の回転は確実にレンズシート６０に伝わることになる
。
【００５０】
（変形例４）
次に、レンズシート６０の変形例であるレンズシート７０について説明する。レンズシ
ート６０と同様の構成部分については同一の符号を付しその説明を省略することとする。
【００５１】
レンズシート６０においては片部６１は、レンズシート６０の先端部６３の一部に設け
られているが、図１０に示すように、レンズシート７０の前端部７１の全体を尖状体とし
て、大きな片部７２としてもよい。このように構成した場合にも、レンズシート７０が搬
送用駆動ローラ６と従動ローラ７との間に引き込まれる取っ掛かりが確実なものとなる。
【００５２】
なお、上述の各実施の形態およびその変形例で説明したレンズシート１，３０，４０，
６０，７０は、テーパ部２３，３１，片部４３，５１，６１は、レンズシート１等の前方
側にのみ設けられている例を示した。しかしながら、これらテーパ部、片部は、レンズシ
ートの前後に設けるようにしてもよい。前後に設けることで、レンズシートを前後何れの
向きでも記録装置２へ装填することができる。
【００５３】
記録装置２は、従動ローラ７の後方にシート送りローラ７３を備え、このシート送りロ
ーラ７３によりシートガイド５上に載置されたレンズシート１，３０，４０，６０，７０
（以下、レンズシート１等と言う。）を搬送用駆動ローラ６と従動ローラ７との間に送り
込むる構成のものでもよい。このように、記録装置２がシートガイド５上に載置されたレ
ンズシート１等をシート送りローラ７３により搬送用駆動ローラ６と従動ローラ７の間に
送り込む構成である場合は、レンズシート１等にテーパ面２４，３１あるいは片部４３，
５１，６１，７２が設けられることで、レンズシート１等は搬送用駆動ローラ６と従動ロ
ーラ７との間に容易に入り込むことができ安定した搬送が行われる。
【図面の簡単な説明】
【００５４】
【図１】本発明の第１の実施の形態に係るレンズシートが装填されている記録装置の構成を示す後方斜視図である。
【図２】図１に示す部分Ａの拡大図である。
【図３】本発明の第１の実施の形態に係るレンズシートの構成を示す斜視図である。
【図４】図３に示す部分Ｂの拡大図である。
【図５】レンズシートの第１の変形例を示す図である。
【図６】本発明の第２の実施の形態に係るレンズシートの構成を示す底面図である。
【図７】レンズシートの第２の変形例を示す図である。
【図８】レンズシートの第３の変形例を示す図である。
【図９】本発明の第３の実施の形態に係るレンズシートの構成を示す底面図である。
【図１０】レンズシートの第４の変形例を示す図である。
【符号の説明】
【００５５】
１，３０，４０，６０，７０  ・・・  レンズシート（記録媒体）    ２  ・・・  記録
装置    １０  ・・・  レンチキュラーレンズ    ２２  ・・・  縁部    ２５，３３  
・・・  先端部    ２４，３１  テーパ面    ４３，５１，６１，７２  ・・・  片部  
【図１】
0005386812.tif 000002
【図２】
0005386812.tif 000003
【図３】
0005386812.tif 000004
【図４】
0005386812.tif 000005
【図５】
0005386812.tif 000006
【図６】
0005386812.tif 000007
【図７】
0005386812.tif 000008
【図８】
0005386812.tif 000009
【図９】
0005386812.tif 000010
【図１０】
0005386812.tif 000011